(57)【要約】      （修正有）【課題】１つのキャビネット本体によってバット専用、フック式ハンガー専用あるいはそれらの併用を可能とする抗菌キャビネット並びに治療器具保持具を提供する。【解決手段】殺菌手段を内蔵すると共に収容空間６を区画する内部の左右の側壁９，１０に左右で一組の支持部７を上下方向に複数組備えたキャビネット本体の支持部に左右両端が支えられて収容空間内に滅菌済みの治療器具を保持する治療器具保持具において、治療器具保持具は治療器具を引っ掛けて吊り下げるフック式ハンガー２であり、キャビネット本体の左右の側壁の支持部に支持される左右両側の被支持部２ｂと、キャビネット本体の開口に向けて突出し開口側から治療器具を引っ掛けて吊り下げるフック部２ａと、フック部を支えるフック支持基部２ｃとを有し、キャビネット本体の左右の側壁の支持部に跨がって被支持部を挿し入れることで装着可能とする。【選択図】図６
2015058097.tif 000002
【特許請求の範囲】
【請求項１】
殺菌手段を内蔵すると共に収容空間を区画する内部の左右の側壁に左右で一組の支持部を上下方向に複数組備えたキャビネット本体の前記支持部に左右両端が支えられて前記収容空間内に滅菌済みの治療器具を保持する治療器具保持具において、
前記治療器具保持具は前記治療器具を引っ掛けて吊り下げるフック式ハンガーであり、前記キャビネット本体の左右の側壁の支持部に支持される左右両側の被支持部と、前記キャビネット本体の前記開口に向けて突出し前記開口側から前記治療器具を引っ掛けて吊り下げるフック部と、前記キャビネット本体の左右の側壁の支持部に前記被支持部を介して跨がって支持され前記フック部を支えるフック支持基部とを有し、
前記キャビネット本体の左右の側壁の前記支持部に跨がって前記被支持部を挿し入れることで装着可能とし、選定された任意の一組の前記支持部に跨がって支持されるものである治療器具保持具。
【請求項２】
殺菌手段を備え、滅菌済みの治療器具を治療器具保持具を介して収容空間に収容して抗菌を行いながら保管する抗菌キャビネットにおいて、
前面に前記治療器具を出し入れするための開口と該開口を開閉する扉が設けられ、かつ前記収容空間を区画する内部の左右の側壁に前記治療器具保持具を上下方向に係止させて支持する左右一組の支持部を複数組上下方向に備えて成るキャビネット本体と、
前記治療器具を載せるバットと、前記治療器具を引っ掛けて吊り下げるフック式ハンガーとを前記治療器具保持具として備え、
前記バットは両側縁部に前記キャビネット本体の左右の側壁の支持部に各々支持される被支持部を有し前記キャビネット本体の左右の側壁の前記支持部に跨がって支持され、
前記フック式ハンガーは前記バットの前記被支持部と同じ間隔で配置されて前記キャビネット本体の左右の側壁の支持部に支持される左右両側の被支持部と、前記キャビネット本体の前記開口に向けて突出し前記開口側から前記治療器具を引っ掛けて吊り下げるフック部と、前記キャビネット本体の左右の側壁の支持部に前記被支持部を介して跨がって支持され前記フック部を支えるフック支持基部とから成り、
前記治療器具保持具は前記バットと前記フック式ハンガーの両側の前記被支持部の間隔を同じにし、前記キャビネット本体の左右の側壁の支持部に跨がって挿し入れることで装着可能とし、
選定された任意の一組の前記支持部に跨がって支持される治療器具保持具として前記バットまたは前記フック式ハンガーいずれかを選択的に使用可能としたことを特徴とする抗菌キャビネット。
【請求項３】
前記キャビネット本体の前記支持部の上下方向における配置間隔は前記治療器具を載せた前記バットを重ねて収容可能とする間隔であることを特徴とする請求項２記載の抗菌キャビネット。
【請求項４】
前記キャビネット本体の前記支持部は前記バットまたは前記フック式ハンガーの両側の前記被支持部が挿入可能な溝であって、前記被支持部は前記溝にスライド可能に挿入される板状を成すものであることを特徴とする請求項２または３記載の抗菌キャビネット。
【請求項５】
前記溝の差し込み口部分には幅広となっている導入部が設けられていることを特徴とする請求項４記載の抗菌キャビネット。
【請求項６】
前記支持部は前記キャビネット本体の前記側壁から前記収容空間内へ水平方向に突出する棚板状であり、前記バットまたは前記フック式ハンガーの両側の前記被支持部は前記棚板状の支持部と嵌合するＵ形の溝板であることを特徴とする請求項２または３記載の抗菌キャビネット。
【発明の詳細な説明】
【技術分野】
【０００１】
本発明は、医科歯科用の治療器具を抗菌しながら保管する抗菌キャビネット並びにそれに用いられる治療器具保持具に関する。さらに詳述すると、本発明は、医科歯科用の治療器具例えば歯科治療用のピンセット、歯科用ミラー、キュレット、鋏、充填器などの比較的小さなインスツルメントから、抜歯用の外科用鉗子や印象用トレーなどの比較的大きなインスツルメントまで、その形状等に応じて載置してあるいは吊り下げて収容し、抗菌を行いながら保管する抗菌キャビネット並びにそれに用いられる治療器具保持具に関する。
【背景技術】
【０００２】
従来より、滅菌済み治療器具を収納し、紫外線を照射するなどして器具類の抗菌を行いながら保管する抗菌キャビネットが医科・歯科の治療現場等において使用されている。ここで、抗菌キャビネットに収容し抗菌を行うものとしては、外科手術において使用するメス、ピンセット、鉗子などの器具、あるいは歯科治療において使用するピンセット、歯科用ミラー、キュレット、鋏、充填器、探針などの比較的小さなインスツルメントから、抜歯用の外科用鉗子や印象用トレーなどの比較的大きなインスツルメントまで、多種多様の器具が存在し、インスツルメント毎に便利な保管形態が異なる。
【０００３】
そこで、従来の抗菌キャビネットとしては、比較的小さなインスツルメントを載せたバットを多段にして収容するものと、印象用トレーや外科用鉗子などの比較的大きなインスツルメントをバー状のフック（吊り杆）に引っ掛けて収容するものとで、それぞれ専用のキャビネットが用いられている（例えば、特許文献１，２参照）。この場合、それぞれ専用のキャビネットを購入し、設置しなくてはならず、壁面のスペースを多く取り、その取り付け作業にも時間や手間が取られるといった問題を有している。
【０００４】
また、１つのキャビネットに３つの収納室空間を形成して、各々の空間に紫外線殺菌灯を備えることにより、比較的小さなインスツルメントを載せたバットを収容するバット収納室、鉗子などの比較的大きなインスツルメントをフックに吊り下げて保管するインスツルメント収納室、印象用トレーをフックに吊り下げて保管する印象用トレー専用の印象用トレー収納室に区画したものも提案されている（例えば、特許文献３参照）。
【０００５】
いずれの抗菌キャビネットにおいても、鉗子や印象用トレーなどの比較的大きなインスツルメントを吊り下げて保管するフックは、キャビネットの奥の後壁に補強金具を介してねじ止めなどでしっかりと固定されていることが通常である。
【先行技術文献】
【特許文献】
【０００６】
【特許文献１】特開平１１−７６２７２号公報
【特許文献２】特開平１１−７６２７３号公報
【特許文献３】実用新案登録第３１４４２６４号公報
【発明の概要】
【発明が解決しようとする課題】
【０００７】
しかしながら、キャビネット内部の後壁に固定されたフックでは、キャビネット内に保管する治療器具のレイアウトの変更が全くできないという問題を有する。即ち、フックの高さや幅などが固定された抗菌キャビネットでは、保管しようとするインスツルメントの形状や大きさに応じた適切なレイアウトで収納できないため、スペース的な無駄をなくして効率的に収納することができない。例えば、フックに引っ掛けて吊り下げる比較的大きな歯科用インスツルメントを例に挙げても、抜歯用の外科用鉗子と印象用トレーとでは、長さ（保管時の高さ）も幅も大きく異なり、同じレイアウトでは空きスペースができて、効率良く収納することができない。このため、複数種の抗菌キャビネットを用意し、インスツルメントの種類毎に引っ掛けたり、あるいは無駄に空きスペースが発生するのを承知で、フックの上下幅の広いものに、外科用鉗子、印象用トレーなどの異なる器具をバラバラで引っ掛けるようにしているのが現状である。
【０００８】
また、抗菌キャビネットでは、その性質上、収容空間内を常に清潔に保つ必要があり、頻繁に清掃を行う必要があるが、上下左右にフックが存在する中での清掃は難しく、特にキャビネット室内の後壁に固定されるフックの根元部分の清掃が難しいという問題がある。
【０００９】
さらに、フックに吊り下げて保管するキャビネット・収容空間では、バットにインスツルメントを載せて保管したいと考えても、キャビネット・収容空間そのものをバット用のものに交換しない限り、同じキャビネット・収容空間内では保管形態を切り替えることができない。
【００１０】
本発明は、１つのキャビネット本体によってバット専用、フック式ハンガー専用あるいはそれらの併用を可能とする抗菌キャビネット並びに治療器具保持具を提供することを目的とする。また、本発明は、治療器具保持具の組み合わせ、収容空間内でのレイアウトを自由に変更可能とし、好みの高さ、好みのレイアウトで治療器具を保管可能とする抗菌キャビネット並びに治療器具保持具を提供することを目的とする。さらに本発明は、キャビネット本体からバットとフック式ハンガーの２種類の治療器具保持具を容易に取り付け・取り外し可能とし、それぞれ取り外した状態で清掃可能としてキャビネット本体の内部と治療器具保持具との清潔度を保つことができる抗菌キャビネット並びにそれに用いられる治療器具保持具を提供することを目的とする。
【課題を解決するための手段】
【００１１】
かかる目的を達成するために請求項１記載の発明は、殺菌手段を内蔵すると共に収容空間を区画する内部の左右の側壁に左右で一組の支持部を上下方向に複数組備えたキャビネット本体の支持部に左右両端が支えられて収容空間内に滅菌済みの治療器具を保持する治療器具保持具において、治療器具保持具は治療器具を引っ掛けて吊り下げるフック式ハンガーであり、キャビネット本体の左右の側壁の支持部に支持される左右両側の被支持部と、キャビネット本体の開口に向けて突出し開口側から治療器具を引っ掛けて吊り下げるフック部と、キャビネット本体の左右の側壁の支持部に被支持部を介して跨がって支持されフック部を支えるフック支持基部とを有し、キャビネット本体の左右の側壁の支持部に跨がって被支持部を挿し入れることで装着可能とし、選定された任意の一組の支持部に跨がって支持されるようにしている。
【００１２】
また、請求項２記載の発明は、殺菌手段を備え、滅菌済みの治療器具を治療器具保持具を介して収容空間に収容して抗菌を行いながら保管する抗菌キャビネットにおいて、前面に治療器具を出し入れするための開口と該開口を開閉する扉が設けられ、かつ収容空間を区画する内部の左右の側壁に治療器具保持具を上下方向に係止させて支持する左右一組の支持部を複数組上下方向に備えて成るキャビネット本体と、治療器具を載せるバットと、治療器具を引っ掛けて吊り下げるフック式ハンガーとを治療器具保持具として備え、バットは両側縁部にキャビネット本体の左右の側壁の支持部に各々支持される被支持部を有しキャビネット本体の左右の側壁の支持部に跨がって支持され、フック式ハンガーはバットの被支持部と同じ間隔で配置されてキャビネット本体の左右の側壁の支持部に支持される左右両側の被支持部と、キャビネット本体の開口に向けて突出し開口側から治療器具を引っ掛けて吊り下げるフック部と、キャビネット本体の左右の側壁の支持部に被支持部を介して跨がって支持されフック部を支えるフック支持基部とから成り、治療器具保持具はバットとフック式ハンガーの両側の被支持部の間隔を同じにし、キャビネット本体の左右の側壁の支持部に跨がって挿し入れることで装着可能とし、選定された任意の一組の支持部に跨がって支持される治療器具保持具としてバットまたはフック式ハンガーいずれかを選択的に使用可能とするようにしている。
【００１３】
また、請求項３記載の抗菌キャビネットは、キャビネット本体の支持部の上下方向における配置間隔が治療器具を載せたバットを重ねて収容可能とする間隔であることを特徴とする。
【００１４】
さらに、請求項４記載の抗菌キャビネットは、キャビネット本体の支持部がバットまたはフック式ハンガーの両側の被支持部が挿入可能な溝であって、被支持部は溝にスライド可能に挿入される板状を成すものであることを特徴とする。
【００１５】
また、請求項５記載の抗菌キャビネットは、キャビネット本体の支持部を構成する溝の差し込み口部分に幅広となっている導入部が設けられていることを特徴とする。
いるものである。
【００１６】
また、請求項６記載の発明は、支持部がキャビネット本体の側壁から収容空間内へ水平方向に突出する棚板状であり、バットまたはフック式ハンガーの両側の被支持部が棚板状の支持部と嵌合するＵ形の溝板であることを特徴とする。
【発明の効果】
【００１７】
請求項１記載の治療器具保持具によれば、両側端の被支持部をキャビネット本体の側面の支持部に跨がるように挿し入み前後方向にスライドさせるだけでキャビネット本体へ簡単に装着可能であることから、既存のバット専用キャビネットのバットに代えてフック式ハンガーを装着することができ、バット専用キャビネットをフック式ハンガー専用あるいはバットとフック式ハンガーの併用キャビネットに変更して使用することができる。
【００１８】
しかも、本発明のフック式ハンガーは、被支持部をキャビネット本体の側面の支持部に跨がるように挿し入み前後方向にスライドさせるだけで、簡単に装着可能としているので、収容空間内でのレイアウトを自由に変更することができる。例えば、キャビネット本体の多段の支持部のうちの１組を選定してフック式ハンガーの両端の被支持部を係合させることで、自由に好みの高さ、好みの間隔でレイアウトすることができる。つまり、フックに引っ掛けて保管する抜歯用の外科用鉗子や印象用トレーといったインスツルメントの長さに応じてフック部の上下に必要な空間が得られる高さに最も近いキャビネット本体側の支持部の組み合わせを選択してフック式ハンガーを装着したり、フック部の配置間隔や本数が異なる何種類かのフック式ハンガーを組み合わせて使用するもできるので、無駄に空きスペースが発生するのを防いで、効率良く収納することができる。さらに、フック式ハンガーのフック部の高さや配置間隔、本数などが自由に設定できるだけでなく、バットとの共用も可能であり、フック式ハンガーのフック部に引っ掛けられたインスツルメントの上方あるいは下方の空いた空間にバットに載せた比較的小さなインスツルメントを収容させて、無駄に空きスペースが発生するのを防ぐことができるので、さらに効率良く収納することができる。
【００１９】
請求項２記載の抗菌キャビネットでは、バットとフック式ハンガーの２種類の治療器具保持具を選択的に使用可能としたので、１つの抗菌キャビネットにおいてバット専用、フック式ハンガー専用あるいはそれらの併用を可能とすることができる。例えば、フック式ハンガーに吊り下げて保管しているキャビネット・収容空間において、バットにインスツルメントを載せて保管したいときには、フック式ハンガーを取り出してバットを挿入することができるので、キャビネット本体あるいは収容空間を変更せずに保管形態を切り替えることができる。勿論、その逆も可能であり、バットを取り出してフック式ハンガーを挿入することでバット専用キャビネットからフック式ハンガー専用キャビネットに、あるいは同じ収容空間内でバットとフック式ハンガーとを混在させて使用するバット・フック式ハンガー併用キャビネットに簡単に変更できる。つまり、単一の収容空間からなる抗菌用キャビネットにおいて、必要に応じてバットとフック式ハンガーとを併用したり、バット専用あるいはフック式ハンガー専用として使用することを可能にする。
【００２０】
しかも、バットとフック式ハンガーの２種類の治療器具保持具は、被支持部をキャビネット本体の側面の支持部に跨がるように挿し入み前後方向にスライドさせるだけで、簡単に装着可能としているので、収容空間内でのバットとフック式ハンガーとの組み合わせやレイアウトを自由に変更することができる。例えば、フック式ハンガーの場合、キャビネット本体の多段の支持部のうちの１組を選定してフック式ハンガーの両端の被支持部を係合させることで、自由に好みの高さ、好みの間隔でレイアウトすることができる。つまり、フックに引っ掛けて保管する抜歯用の外科用鉗子や印象用トレーといったインスツルメントの長さに応じてフック部の上下に必要な空間が得られる高さに最も近いキャビネット本体側の支持部の組み合わせを選択してフック式ハンガーを装着したり、フック部の配置間隔や本数が異なる何種類かのフック式ハンガーを組み合わせて使用することもできるので、無駄に空きスペースが発生するのを防いで、効率良く収納することができる。さらに、フック式ハンガーのフック部の高さや配置間隔、本数などが自由に設定できるだけでなく、バットとの共用も可能であり、フック式ハンガーのフック部に引っ掛けられたインスツルメントの上方あるいは下方の空いた空間にバットに載せた比較的小さなインスツルメントを収容させて、無駄に空きスペースが発生するのを防ぐことができるので、さらに効率良く収納することができる。依って、ユーザーの好みに応じて１つの収容空間内でフック式ハンガーを好きな高さや間隔でレイアウトして治療器具を保管でき、あるいはバットとフック式ハンガーを組み合わせて使用し、より収納性を高め得ると共にユーザーの使い易い抗菌キャビネットを実現できる。
【００２１】
また、フック式ハンガーのキャビネット本体への取り付けは両側端の被支持部をキャビネット本体の側面の支持部に跨がるように挿し入み前後方向にスライドさせるだけで、簡単に装着可能であることから、キャビネット本体からフック式ハンガーを簡単に取り外して清掃することができ、キャビネット本体の内部とフック式ハンガーとの清潔度を保つことができる。
【００２２】
また、請求項３記載の抗菌キャビネットによれば、支持部の上下方向の間隔が治療器具を載せたバットを重ねて収容可能とする間隔であるため、バットを収容する場合には多数のバットを無駄な空間を発生させずに効率良く保管できるし、フック式ハンガーにて治療器具を引っ掛けて保管する場合には、支持部の上下方向の間隔毎に装着位置を選定でき、好みの高さ、好みのレイアウトで治療器具をフック部に引っ掛けて吊り下げることが可能となる。
【００２３】
さらに、請求項４記載の抗菌キャビネットによれば、バット及びフック式ハンガーの２種類の治療器具保持具は、スライドさせて引き出すだけでキャビネット本体から簡単に取り外し可能であると共に、治療器具保持具取り外し後にはキャビネット本体側には溝から成る支持部が残り清掃道具が引っかかるような凸部分が存在しなくなるので、清掃が極めて容易になる。しかも、治療器具保持具をセットしたときには、バットやフック式ハンガーの両側の被支持部がキャビネット本体側の支持部である支持用溝内に差し込まれ上下から挟まれるように嵌合するので、振動等によってバットやフック式ハンガーが暴れて外れ落ちる虞がない。
【００２４】
さらに、請求項５記載の抗菌キャビネットによれば、キャビネット本体側の支持部を構成する溝の差し込み口部分の導入部によって、バットあるいはフック式ハンガーの側縁の被支持部が正確に位置決めされなくても溝に差し込むことができので、バットあるいはフック式ハンガーのキャビネット本体への装着が容易になる。
【００２５】
さらに、請求項６記載の抗菌キャビネットによれば、バットやフック式ハンガーの両端の被支持部がキャビネット本体の側壁から収容空間内へ水平方向に突出する棚板状の支持部と嵌合するため、振動等によってバットやフック式ハンガーが暴れて外れ落ちる虞がない。
【図面の簡単な説明】
【００２６】
【図１】本発明の抗菌キャビネットの実施形態の一例を示す図で、扉を開けた状態の正面図である。
【図２】同抗菌キャビネットの扉を開けた状態の平面図である。
【図３】図１のＩＩＩ−ＩＩＩ線に沿う断面図である。
【図４】図１のＩＶ−ＩＶ線に沿う断面図である。
【図５】殺菌灯を殺菌灯ホルダ毎キャビネット前方へ引き出した状態を示す説明である。
【図６】キャビネット本体とフック式ハンガーとの関係を示す斜視図である。
【図７】フック式ハンガーとキャビネット本体側の支持部との関係を説明する平面断面図である。
【図８】図７に示すフック式ハンガーとキャビネット本体側の支持部の関係を拡大して示す図である。
【図９】フック式ハンガーの一実施形態を示す図で、（Ａ）は平面図、（Ｂ）は正面図、（Ｃ）は右側面図である。
【図１０】図７に示すフック式ハンガーとキャビネット本体側の支持部の関係を正面側から拡大して示す図である。
【図１１】バットの側縁を支持する支持用溝を示し、（Ａ）は外側壁とその溝形の支持部を部分的に示す側面図、（Ｂ）は外側壁とバットとの支持部と被支持部との関係を部分的に示す正面図である。
【図１２】フック式ハンガーの他の実施形態を示す図で、（Ａ）は平面図、（Ｂ）は正面図、（Ｃ）は右側面図である。
【図１３】図１２のフック式ハンガーとキャビネット本体側の支持部との関係を説明する平面断面図である。
【図１４】図１２に示すフック式ハンガーとキャビネット本体側の支持部の関係を拡大して示す図である。
【図１５】図１２に示すフック式ハンガーとキャビネット本体側の支持部の関係を正面側から拡大して示す図である。
【発明を実施するための形態】
【００２７】
以下、本発明の構成を図面に示す形態に基づいて詳細に説明する。
【００２８】
図１〜図１１に、本発明の抗菌キャビネットの実施形態の一例を示す。本発明にかかる抗菌キャビネットは、殺菌手段を備える収容空間６の前面に治療器具（図示省略）を出し入れするための開口４と該開口４を開閉する扉５が設けられ、かつ収容空間６を区画する内部の左右の側壁９，１０に治療器具保持具を上下方向に係止させて支持する左右一組の支持部７を複数組上下方向に備えて成るキャビネット本体３と、治療器具を載せるバット１と治療器具を引っ掛けて吊り下げるフック式ハンガー２との２種類の治療器具保持具のいずれか一方あるいは双方を選択して組み合わせて使用することにより、バット専用、フック式ハンガー専用あるいはそれらの併用を可能とする抗菌キャビネットとしてインスツルメントを保管するものである。
【００２９】
本実施形態において、抗菌キャビネットは、各々独立して開閉可能な２室の収容空間６を有するもので、保管しようとする治療器具に応じてバット１あるいはフック式ハンガー２のいずれか一方あるあいは双方の治療器具保持具をキャビネット本体３内にセットすることで、専用抗菌キャビネットとしてあるいはコンビネーション抗菌キャビネットとして使い分けられる。例えば、図１には、一方の収容空間６例えば左側の空間に歯科治療用のピンセット、歯科用ミラー、キュレット、鋏、充填器などの比較的小さなインスツルメント等を載せたバット１を各段の支持部７毎に収容して保管する一方、他方の収容空間６例えば右側の空間には印象用トレーや外科用鉗子などの比較的大きく嵩をとる大きなインスツルメント等を吊り下げて保管するためのフック式ハンガー２を任意の段に装着して、各段のフック式ハンガー２の各フック部２ａに印象用トレーや外科用鉗子などの大きなインスツルメントを引っ掛けて保管することにより、コンビネーション抗菌キャビネットとして構成した場合を示す。尚、本実施形態のキャビネット本体３は、殺菌灯１４をキャビネット本体３の前後方向並びに左右方向（幅方向）の双方において中央となる位置に設置することにより、収容空間６が殺菌灯１４を挟んでその左右両側にそれぞれ設けられて、１本の殺菌灯１４で左右の収容空間６を均等に照射することができると共に、左右の収容空間６の間で紫外線の照射に偏りが起きないように設けられている。
【００３０】
バット１はピンセット、歯科用ミラー、キュレット、鋏、充填器、探針などの比較的小さなインスツルメントなどを載置する盆（皿）であり、凹部となった本体１ａの周縁のフランジのうちの長手方向と直交する両端のフランジ部分、即ち収容空間６に収める際の奥行き方向の縁部・フランジ１ｂを被支持部として利用し、キャビネット本体３の左右の側壁９，１０の支持部７に係止させて支持されるものである。キャビネット本体３側の支持部７として前後方向に延びる溝形の支持部（以下、溝形支持部７とも呼ぶ）を用いる場合には、被支持部たるフランジ（以下、被支持部１ｂとも言う）１ｂは、該溝形支持部７にスライド可能に挿入される。依って、バット１の場合には、収容空間に収める際の奥行き方向の縁部・フランジ１ｂの全域が被支持部として機能するものである。
【００３１】
他方、フック式ハンガー２は、図７〜図１０に示すように、バット１の被支持部１ｂと同じ間隔で配置されてキャビネット本体３の左右の側壁９，１０の支持部７に支持される左右両側の被支持部２ｂと、キャビネット本体３の開口４に向けて突出し開口４側から治療器具を引っ掛けて吊り下げるフック部２ａと、キャビネット本体３の左右の側壁９，１０の支持部７に被支持部２ｂを介して跨がって支持されフック部２ａを支えるフック支持基部２ｃとから成り、キャビネット本体３の側壁９，１０の支持部７に跨がるように挿し入れて前後方向にスライドさせるだけで、簡単に装着可能としている。ここで、被支持部２ｂは、キャビネット本体３側の支持部７として図５や図１０に示すような前後方向に延びる溝を用いる場合には、該溝形支持部７にスライド可能に挿入される板状の縁部を有するものであり、例えば薄板を直角に折り曲げた逆Ｌ形を成す金具であり、溝形支持部７に嵌合される辺２ｂ１と直交する鉛直方向の辺２ｂ２にフック支持基部２ｃを溶接付けなどで固着することにより、フック支持基部２ｃの両端に備えられている。この場合の被支持部２ｂの奥行き方向の長さは、必ずしも支持部７の全域において接触する長さである必要はなく、フック部２ａにインスツルメントを引っ掛けて吊り下げた際に前後方向に傾かせずに保持できる支持面の長さを有していれば足りる。本実施形態の場合、例えば、図７及び図８に示すように、キャビネット本体３の側壁９，１０の溝形支持部７に挿し入れられて挟持される部位Ｌが、溝の全長の１／３〜１／２程度の長さを有していれば足りる。ここで、本実施形態における溝形支持部７は、開口４側の導入部１１とほぼ同程度の長さの拡幅部が後壁側にも形成されているため、フック式ハンガー２の両端の被支持部２ｂの辺２ｂ１を挟持する溝形支持部７として実質的に機能する一定の狭い幅となる部分の実質長さは約２／３程度であるので、ほぼ全域で支持されていることとなる。勿論、溝形支持部７と被支持部２ｂとの支持に関与する長さ関係は前述の関係に特に限定されるものではなく、広い面で溝７と被支持部２ｂとが接触していなくとも、ある程度の間隔を開けて配置された少なくとも２点以上で支持される関係を保てば、フック式ハンガー２の傾きなどを招くことがない。
【００３２】
尚、上述の「左右両側の被支持部２ｂがバット１の被支持部１ｂと同じ間隔で配置されて」とは、厳密な意味で全く同じ間隔であることを必要とすることを意味するものではなく、キャビネット本体３の側壁９，１０の支持部７に被支持部２ｂが挿し入れられて跨がるように支持される位置関係にあれば十分である。つまり、治療器具保持具はバット１とフック式ハンガー２の両側の被支持部１ｂ，２ｂの間隔を同じにし、キャビネット本体３の左右の側壁９，１０の支持部７に跨がって挿し入れることで装着可能とし、選定された任意の一組の支持部７に跨がって支持される治療器具保持具としてバット１またはフック式ハンガー２のいずれかを選択的に使用可能とするようにしている。
【００３３】
ここで、フック式ハンガー２としては、図示していないが、フック部２ａの配置間隔や本数が異なる何種類かのフック式ハンガーを準備し、これらを組み合わせて使用することもできる。例えば、吊り下げ保管に適した比較的大きな歯科用インスツルメントを例に挙げると、抜歯用の外科用鉗子と印象用トレーとでは、長さ（保管時の高さ）も幅も大きく異なり、同じレイアウトでは空きスペースができて、効率良く収納することができない。即ち、抜歯用の外科用鉗子は、握り手の部分を閉じた状態でフック部２ａに引っ掛けて吊り下げられるので、フック部２ａの上方に鉗子の上半分が位置し、下方に鉗子の下半分の握り手の部位が位置するため、フック部２ａの上方と下方の双方に十分なスペースを必要とするが、幅は印象用トレーよりも一般にかなり狭いものとなる。そこで、幅方向への配置間隔を鉗子の握り手部分が互いに干渉しない程度で狭くしてフック部２ａの本数を多くしたフック式ハンガー２を用いることが好ましく、これをインスツルメントの長さに応じてフック部２ａの上下に必要な空間が得られる高さに最も近いキャビネット本体３側の支持部７の組み合わせを選択してフック式ハンガー２を装着することで、上下（高さ）左右（幅）方向に無駄に空きスペースが発生するのを防いで、効率良く収納することができる。他方、印象用トレーの場合、大中小程度の大きさの違いはあるが、取っ手部分はほぼ同じ大きさで、しかもフック部２ａの上方のスペースへは突出しないため、フック式ハンガーの上方に外科用鉗子で必要とするほどのスペースを必要としない上に、フック式ハンガーの下方に必要とするスペースにも大きな違いはないが、鉗子用のものよりフック部２ａの幅方向の間隔が広いといった違いがある。したがって、各インスツルメントに適したフック部２ａの配置間隔や本数のフック式ハンガー２を準備し、これらを組み合わせて使用することで、より効率良く収納することができる。
【００３４】
他方、キャビネット本体３は、本実施形態において、一般にステンレススティール等によって製作された開閉扉付きの筐体８と、殺菌手段と、治療器具保持具たるバット１またはフック式ハンガー２を支持する支持部７とで基本構造が構成されている。また、筐体８の内部は、窓１３を有する横断面コ形の仕切り壁１２によって、２室の収容空間６に区画されると共に、２室の収容空間６の間に殺菌灯１４を保持する殺菌灯ホルダ１６を収容するための空間１８が形成されている。この空間１８は、前方（開口４）側が開放されており、殺菌灯ホルダ１６を出し入れ自在に収容するように設けられている。
【００３５】
本実施形態の場合、収容空間６を区画する左右の側壁９，１０を樹脂製の外側の側壁（以下、外側壁９と呼ぶ）及び内側の側壁（以下、内側壁１０と呼ぶ）によって構成し、溝形の支持部（以下、溝形支持部７と呼ぶ）を射出成形によって各側壁９，１０と一体成形するようにしている。この溝形状の支持部７の開口側の端部、即ち溝の差し込み口部分には、ラッパ状に幅広となっている導入部１１が設けられ、バット１またはフック式ハンガー２の板状の被支持部１ｂ，２ｂが溝７内に容易かつ滑らかに導入されるようにしている。尚、側壁９，１０を構成する樹脂としては、殺菌灯１４から照射される紫外線によって劣化し難いもの、例えば耐候性に優れるポリカーボネートやアクリル樹脂等の使用が好ましい。勿論、紫外線によって劣化し易い樹脂、例えばＡＢＳ樹脂、ナイロン、ポリプロピレン（ＰＰ）等であっても、紫外線が当たる面にめっき等の表面処理を施したり、アルミ箔等の反射材を設けることで使用することが可能であるし、場合によってはガラス例えば石英ガラス等を使用しても良い。  
【００３６】
ここで、キャビネット本体３の上下方向における支持部７の配置間隔は、特定の幅に限定されるものではないが、少なくとも治療器具を載せたバット１を治療器具も含めて互いに干渉しない程度の隙間をあけて収容可能とする間隔であることが好ましい。勿論、治療器具を載せたバット１を互いに干渉しない程度の隙間をあけて収容可能とする間隔であることに限定されず、それよりも狭い間隔あるいは広い間隔であっても良い。支持部７の上下方向の間隔が治療器具を載せたバット１を互いに干渉しない程度の隙間をあけて収容可能とする間隔である場合には、バット１を収容する場合には各段毎の支持部７に収容することで多数のバット１を無駄な空間を発生させずに効率良く保管できるし、フック式ハンガー２にて治療器具を引っ掛けて保管する場合には、支持部７の上下方向の間隔を最小単位に装着位置を選定でき、好みの高さ、好みの間隔でレイアウトして治療器具をフック部２ａに引っ掛けて吊り下げることが可能となる。勿論、キャビネット本体３の支持部７の上下方向における配置間隔が、バット１を治療器具も含めて互いに干渉しない程度の隙間をあけて収容可能とする間隔よりも狭い間隔（例えば半分程度の間隔）とする場合には、各支持部７毎にバット１を支持させることはできないが、フック式ハンガー２の支持位置をより細かく調整できることは言うまでもない。また、本実施形態においては、収容空間６を区画する左右の側壁９，１０には、治療器具保持具を上下方向に係止させて支持する左右一組の支持部７，７が上下方向に一定間隔を開けて複数組備えて成るが、溝形支持部７，７の間隔は必ずしも等間隔でなくても良い。
【００３７】
また、殺菌手段としては、例えば殺菌力を持つ254nmの紫外線（ＵＶ−Ｃ領域の紫外線）を放射する蛍光灯形あるいはＬＥＤ（発光ダイオード）形などの紫外線灯・殺菌灯１４が採用されている。勿論、殺菌灯１４以外の抗菌作用付与手段、例えばオゾンや高圧蒸気などを使用して抗菌を行っても良い。尚、殺菌灯１４は、殺菌力を持つ254nmの紫外線（光）が格段に強く主たるものとして発するが、他の波長の光も出ていることから、点灯時には透明な石英ガラス管の中で青白く光って見える。そこで、扉５の少なくとも一部に殺菌力を持つ254nmの紫外線（光）は透過させないが、可視光は透過させる部位、所謂覗き窓１９を設けることによって、扉５を閉じた状態で殺菌灯１４の点灯を目視によって確認できるようにしている。
【００３８】
殺菌灯１４を点灯させる殺菌灯器具１５は、回転軸１７で仕切り壁１２に下端部が揺動可能に連結された殺菌灯ホルダ１６に搭載され、殺菌灯ホルダ１６毎でキャビネット本体３の外に引き出せるように仕切り壁１２の内側の空間１８に収容されている。そして、殺菌灯ホルダ１６を下端の回転軸１７を中心にキャビネット前方（手前側）に引き倒すことで、殺菌灯器具１５と殺菌灯１４とをキャビネットの外に引き出し、キャビネットの外で殺菌灯１４を交換できるようにしている。殺菌灯器具１５は、仕切り壁１２の内側の空間１９に立てた状態で配置され、仕切り壁１２の側面の窓１３から殺菌灯１４が収容空間６に臨むように設けられている。因みに、蛍光灯形の紫外線灯を用いる殺菌灯器具１５は蛍光灯器具と同じであり、既存の蛍光灯蛍光ランプを殺菌灯に取り替えるだけで殺菌灯器具として利用できる。
【００３９】
開閉扉付きの筐体８は、鏡面仕上げのステンレス鋼やアルミニウム合金等の金属板で構成され、あるいは紫外線が当たる面にめっき等の表面処理を施したり、アルミ箔等の反射材を張り付けた樹脂板などで内面が構成されることによって、収容空間６を囲む前後、左右、上下の６面が紫外線を反射する反射面となるように設けられている。ここで、外側壁９及び内側壁１０を樹脂製とする本実施形態においては、外側壁９及び内側壁１０には、上下の溝形支持部７の間に殺菌灯１４から照射された光を通過させる孔２０が多数設けられている。そして、外側壁９の裏面側には、殺菌灯１４の光を収容空間６側に反射する反射板２１が重ね合わされて固定されている。また、内側壁１０の裏面に配置される反射板２２は、仕切り壁１２に開けられた窓１３を塞がない位置に固定されている。これにより、孔２０を通過した紫外線を反射板２１，２２で反射させて、再び収容空間６内に放射されるようにしている。したがって、筐体８の中央の仕切り壁１２内の空間１８に収容された殺菌灯１４から照射される紫外線が、支持部材１２の窓１３および左右の内側壁１０の孔２０を通して左右の収容空間６内にそれぞれ放出され、各収容空間６を囲む前後、左右、上下の６面の反射面において繰り返し反射される。また、紫外線は各段のバット１あるいはフック式ハンガー２およびバット１上の治療器具あるいはフック式ハンガー２に吊り下げられた治療器具によっても繰り返し反射される。そして、収容空間６内で反射を繰り返えすことで、隅々まで照射され、バット１上の治療器具並びにフック式ハンガー２に吊り下げられた治療器具の抗菌を行うこととなる。尚、外側壁９及び内側壁１０の表面に自体が殺菌灯１４の光を良好に反射させるものである場合には、孔２０の形成と反射板２１，２２を省略し、外側壁９及び内側壁１０の表面を反射板として利用するようにしても良い。
【００４０】
収容空間６の幅、即ち外側壁９と内側壁１０との配置間隔は、治療器具保持具たるバット１とフック式ハンガー２とが余裕をもって挿入され、尚且つ外側壁９と内側壁１０との支持部７に被支持部１ｂ，２ｂがそれぞれ係止されることが必要である。そこで、溝によって支持部７を構成する外側壁９と内側壁１０との配置間隔は、バット１の長辺の長さとほぼ同じ間隔をあけて配置されている。各側壁９，１０の対となる支持用溝１ｂ，２ｂはほぼ同じ高さ（同じ高さ又は同じと同一視できる高さ）の位置に設けられている。本実施形態の溝形支持部７は、差し込み時のバット１あるいはフック式ハンガー２の左右の支持部１ｂ，２ｂにおける段ずれ、即ち、バット１の左右の側縁たる被支持部１ｂが異なる段の溝形支持部７に差し込まれる現象を防止するように、左右の支持部７の前後方向へのスライドが可能な程度の最小限の幅に設けられている。即ち、溝形支持部７の幅（溝高さ）はバット１の側縁１ｂの厚みよりも若干広く形成されているに過ぎず、仮にバット１が傾くことができる最大の角度まで傾斜した場合であっても、左右の溝形支持部７の間で段ずれが生じないように設けられている。また、溝形支持部７の幅は、本実施形態では、導入部１１を除いて、全体に同じ幅でバット１及びフック式ハンガー２のそれぞれの両側縁のフランジ状の被支持部１ｂ，２ｂの厚みよりも僅かに広く形成されているが、必ずしも端から端まで均一な幅とする必要はなく、場合によっては断続的に溝幅が拡がったり、支持面が点在したり、あるいは溝が途切れていても良い。バット１及びフック式ハンガー２の両側縁の被支持部１ｂ，２ｂを収容して、前後方向に大きく傾かずスライド可能に支持できるものであれば溝形状や長さなどに限定を受けるものではない。キャビネット本体３の左右の側壁９，１０の溝形支持部７にバット１やフック式ハンガー２の左右両側の被支持部１ｂ，２ｂを挿し入れ前後方向にスライドさせるだけで、簡単に装着可能としている。
【００４１】
次に、抗菌キャビネットの使用について説明する。本実施形態の抗菌キャビネットでは、バット１とフック式ハンガー２の２種類の治療器具保持具を選択的に使用可能としたので、１つの抗菌キャビネット本体３によってバット専用、フック式ハンガー専用あるいはそれらの併用を可能とすることができる。例えば、フック式ハンガー２に吊り下げて保管しているキャビネット・収容空間６において、バット１にインスツルメントを載せて保管したいときには、フック式ハンガー２を取り出してバット１を挿入することができるので、キャビネット本体３あるいは収容空間６を変更せずに保管形態を切り替えることができる。勿論、その逆も可能であり、バット１を取り出してフック式ハンガー２を挿入することでバット専用キャビネットからフック式ハンガー専用キャビネットに、あるいは同じ収容空間内でバット１とフック式ハンガー２とを混在させて使用するバット・フック式ハンガー併用キャビネットに簡単に変更できる。つまり、単一の収容空間６からなる抗菌用キャビネットにおいて、必要に応じてバット１とフック式ハンガー２とを併用したり、バット専用あるいはフック式ハンガー専用として使用することを可能にできる。
【００４２】
しかも、バット１とフック式ハンガー２の２種類の治療器具保持具は、被支持部１ｂ，２ｂをキャビネット本体３の側面の支持部７に跨がるように挿し入れて前後方向にスライドさせるだけで、簡単に装着可能としているので、収容空間６内での治療器具保持具の組み合わせやレイアウトを自由に変更することができる。例えば、フック式ハンガー２の場合、キャビネット本体３の多段の支持部７のうちの１組を選定してフック式ハンガー２の両端の被支持部２ｂを係合させることで、自由に好みの高さ、好みの間隔でレイアウトすることができる。つまり、フック部２ａに引っ掛けて保管する抜歯用の外科用鉗子や印象用トレーといったインスツルメントの長さに応じてフック部２ａの上下に必要な空間が得られる高さに最も近いキャビネット本体３側の支持部７の組み合わせを選択してフック式ハンガー２を装着したり、フック部２ａの配置間隔や本数が異なる何種類かのフック式ハンガー２を組み合わせて使用することもできるので、無駄に空きスペースが発生するのを防いで、効率良く収納することができる。さらに、フック式ハンガー２のフック部２ａの高さや配置間隔、本数などが自由に設定できるだけでなく、バット１との共用も可能であり、フック式ハンガー２のフック部２ａに引っ掛けられたインスツルメントの上方あるいは下方の空いた空間にバット１に載せた比較的小さなインスツルメントを収容させて、無駄に空きスペースが発生するのを防ぐことができるので、さらに効率良く収納することができる。依って、ユーザーの好みに応じて好きな高さや間隔でレイアウトして治療器具を保管でき、より収納性を高め得ると共にユーザーの使い易い抗菌キャビネットを実現できる。
【００４３】
また、フック式ハンガー２のキャビネット本体３への取り付けは両側端の被支持部２ｂをキャビネット本体３の両側壁９，１０の支持部７に跨がるように挿し入れてキャビネット本体３の収容空間６の奥側へスライドさせるだけで、簡単に装着可能である。他方、フック式ハンガー２を開口４側（手前側）にスライドさせるだけでキャビネット本体３から簡単に取り外して収容空間６内を完全にがらんどうにすることができる。したがって、清掃作業が容易になる。特に、溝で支持部７を構成するキャビネット本体３の場合、収容空間６の内部には手や清掃具などが引っ掛かる凸部が何も存在しない状態となるので容易に清掃することができ、キャビネット本体３の収容空間６内の清掃が容易である。また、取り外したフック式ハンガー２も、自在に向きを変えながら隅々まで簡単に清掃することができる。バット１についても同様であり、キャビネット本体３の収容空間６内とバット１とを隅々まで簡単に清掃することができる。
【００４４】
さらに、フック部２ａの配置間隔や本数が異なる何種類かのフック式ハンガー２を備えれば、フック式ハンガー２の交換あるいは組み合わせの変更によって簡単にフック部２ａの本数や位置を変更することで保管するインスツルメントのレイアウトを変えることができる。
【００４５】
なお、上述の形態は本発明の好適な形態の一例ではあるがこれに限定されるものではなく本発明の要旨を逸脱しない範囲において種々変形実施可能である。
【００４６】
例えば、キャビネット本体３の支持部７は、図１０に示すような溝形である必要はなく、治療器具保持具を上下方向に係止させて支持するものであればどのような形態でも良く、図１４や図１５に示すようなキャビネット本体３の側壁９，１０から収容空間６内へ水平方向に突出する逆Ｌ形の棚板状の支持部７であっても良い。逆Ｌ形の棚板状の支持部７は、側壁９，１０を構成する金属板とは別体に形成され、溶接やロウ付けなどで固着させるようにしても良いが、側壁９，１０を構成するステンレス鋼やアルミニウム合金等の鏡面仕上げの板材に切り起こし加工などによって一体に成形することが好ましい。この場合、バット１及びフック式ハンガー２の被支持部２ｂは、棚板状の支持部７の上に単に載置される板でも良いが、棚板状の支持部７と嵌合してこれを挟持する図１５に示すようなＵ形の溝板であることが好ましい。この場合、溝形の支持部７と同様に、振動や下から突き上げる力などが作用したとき等に、バット１やフック式ハンガー２が暴れて外れ落ちる虞がない。
【００４７】
また、キャビネット本体３の側壁９，１０から収容空間６内へ向けて水平方向に突出する棚板状の支持部７が形成される場合、バット１を棚板状の支持部７に載せて直接支持させることに限定されず、棚板状の支持部７に支えられるプレート（図示省略）を介してバット１をキャビネット本体３側で間接的に支持するようにしても良い。即ち、上述の実施形態では溝状あるいは棚板状の支持部７にバット１の側縁たる被支持部１ｂを差し込むことでバット１を直接に支持するようにしているが、これに限られるものではなく、溝状あるいは棚板状の支持部７の上に平坦なプレートを跨がせて、その上にバット１を載せることにより、収容空間６に保管するようにしても良い。この場合、強度の弱い材質のバットや、両側面９，１０に配置された一対の溝状あるいは棚板状の支持部７の間の幅よりも小さなバット１でも保管することができる。また、フック式ハンガー２の被支持部２ｂの両側端の間隔よりも間隔が狭いバット１と組み合わせて使用することも可能となる。
【００４８】
また、上述の説明では、観音開きの扉５を採用していたが、これに限られるものではなく、水平移動により左右に開閉するスライドドアや、上下方向に開閉するシャツター式ドアなどを採用しても良い。
【００４９】
また、上述の実施形態においては、主に歯科用インスツルメントを保管する場合について説明したが、これに特に限られるものではなく、医科用インスツルメントを保管する抗菌キャビネットとして使用することも可能である。この場合には、メス、ピンセットなどの比較的小さいインスツルメントをバットに載せて保管し、鉗子などの比較的大きなインスツルメントをフック式ハンガーに吊り下げるようにして収納して保管すれば良い。
【００５０】
尚、本実施形態におけるキャビネット本体３は、１つの筐体８において、その内部の中央に設置される殺菌灯１４を挟んで２つの収容空間６を横に並べて設けるようにしているが、これに限られるものではなく、１つの収容空間６でも良く、あるいは場合によっては３つ以上の収容空間６を備えるようにしても良い。
【００５１】
通常、この種の抗菌キャビネットは、バット１の大きさが業界で事実上規格化されている。つまり、キャビネット本体３の収容空間６の幅方向の大きさ並びに左右の側壁９，１０に形成される支持部７の幅方向の間隔も事実上規格化されているといえる。このため、抗菌キャビネットに付属しているバットに限らず、市販されている汎用的なバットを使用してもキャビネット本体３の収容空間６内に収容し支持することができる。したがって、フック式ハンガー２の両側の被支持部２ｂの幅方向の間隔並びにフック部２ａの長さなどをバット１の規格と合わせれば、市販されているいずれの抗菌キャビネットにおいても、本発明のフック式ハンガー２を装着することができる。
【００５２】
そこで、左右に２室の収容空間６を配置する上述の本実施形態キャビネットにおいては、左右の２室の収容空間６内の左右の支持部７の幅方向の間隔並びに上下方向の間隔を同じにしている。したがって、右の収容空間６も、左の収容空間６も、全てバット１を収容しても良いし、全てフック式ハンガー２を収容するようにしても良い。また、１つの収容空間６内を必要に応じて全てバット１で保管したり、あるいは全てフック式ハンガー２で吊り下げるように保管するようにしても良いし、場合によっては、部分的にバット１とフック式ハンガー２とを配置してこれらを併用することも可能である。つまり、１つの収容空間６内において、比較的小さなインスツルメントを載せたバット１を収容する一方で、フック式ハンガー２を利用して大きなインスツルメントを吊り下げるようにしても良い。
【符号の説明】
【００５３】
１  バット
１ｂ  バットの両側縁（被支持部）
２  フック式ハンガー
２ｂ  フック式ハンガーの両側縁（被支持部）
３  キャビネット本体
７  キャビネット本体の支持部（溝形あるいは棚板状の支持部）
９  外側壁（一方の側壁）
１０  内側壁（他方の側壁）
１４  殺菌灯（殺菌手段）
【図１】
2015058097.tif 000003
【図２】
2015058097.tif 000004
【図３】
2015058097.tif 000005
【図４】
2015058097.tif 000006
【図５】
2015058097.tif 000007
【図６】
2015058097.tif 000008
【図７】
2015058097.tif 000009
【図８】
2015058097.tif 000010
【図９】
2015058097.tif 000011
【図１０】
2015058097.tif 000012
【図１１】
2015058097.tif 000013
【図１２】
2015058097.tif 000014
【図１３】
2015058097.tif 000015
【図１４】
2015058097.tif 000016
【図１５】
2015058097.tif 000017